(57)【特許請求の範囲】
【請求項１】
使用者の尿を受けるボールと、
前記ボールと下水配管とを連通するとともに前記下水配管を水封するための溜水を貯留するトラップと、
排尿前の前記溜水を予め定められた所定溜水量に設定する溜水量設定手段と、
使用者が排泄した尿の特定物性値を測定する尿物性測定手段と、
前記溜水の前記特定物性値を測定する溜水物性測定手段と、
前記溜水を撹拌する溜水撹拌手段と、を有する生体情報測定便器において、
前記溜水撹拌手段として、前記溜水中へ一定量の水を供給する給水機能を設け、
前記所定溜水量と、所定溜水量時における前記尿物性測定手段の測定値と、排尿開始から排尿終了までの前記溜水物性測定手段の測定値と、に基づいて、
少なくとも排尿量を含む生体情報を測定することを特徴とする生体情報測定便器。
【請求項２】
前記溜水物性測定手段は、経時的な変動値に基づいて定常値を推定する溜水物性推定手段を有することを特徴とする請求項１に記載の生体情報測定便器。
【請求項３】
前記尿物性測定手段を、前記ボール内を回動移送する採尿アームに設けたことを特徴とする請求項１または２に記載の生体情報測定便器。
【発明の詳細な説明】
【技術分野】
【０００１】
本発明は、洋式便器を利用して被験者の排尿量などの各種生体情報を測定することのできる生体情報測定便器に関する。
【背景技術】
【０００２】
従来の生体情報測定便器としては、洋式便器に排尿したときの溜水水位の変化量を計測し、予め記憶させた溜水量と溜水水位との検量関係を利用して尿量などの生体情報を測定するものがある。この場合、下水配管内で発生した圧力変動に起因する溜水水位の変動によって測定値が影響を受けるのを回避するため、下水配管内の圧力を測定して圧力変動のない状態に換算するものがある（例えば、特許文献１参照。）。
【０００３】
また、前述したような、溜水水位の変化量を計測する方式と異なり、洋式便器に排尿したときの溜水の温度変化を計測して生体情報を測定するものがある（例えば、特許文献２参照。）。そのほか、これらの測定方式と異なり、洋式便器に排泄された尿に含まれる特定成分濃度を利用して生体情報を測定するものもある（例えば、特許文献３参照。）。
【０００４】
【特許文献１】国際公開２００４／１１３６３０号パンフレット
【特許文献２】特開２００３−３０２３９７号公報
【特許文献３】特開２００４−２７９２１９号公報
【発明の開示】
【発明が解決しようとする課題】
【０００５】
特許文献１記載の生体情報測定便器（大便器ユニット）の場合、洋式便器を利用して排尿量などの各種生体情報を測定できる反面、施工場所の環境要因として現れる下水圧変動が溜水に対してどのような影響を与えるかを想定して補正アルゴリズムが設定されているため、想定外の周波数をもつ下水圧波動が伝達されたり、測定管をふくむ溜水部が共振するような周波数をもつ下水圧波動が伝達されたりすると、測定精度が低下したり、測定不能になったりすることがある。
【０００６】
また、特許文献２記載の生体情報測定便器においては、洋式便器に排泄された尿によって溜水がトラップの溢流水位を乗り越えてしまうため、溢流部分は溜水のみと考えることのできる低尿流率で排尿された場合と、溢流部分に尿の混入があると予測される高尿流率で排尿された場合とでは、同一の排尿量であっても、測定精度に差が出ることがある。さらに、この生体情報測定便器の場合、排泄される原尿の温度を所定の体温と仮定しているため、体温変化や体温の個人差がそのまま測定誤差となることもある。
【０００７】
一方、特許文献３記載の生体情報測定便器（尿情報測定装置を用いた大便器ユニット）においても、前述と同様、排泄された尿によって溜水がトラップの溢流水位を越えてしまうため、溢流部分は溜水のみと考えることのできる低尿流率で排尿された場合と、溢流部分に尿の混入があると予測される高尿流率で排尿された場合とでは、同一の排尿量であっても、測定精度に差が出ることがある。
【０００８】
本発明が解決しようとする課題は、施工場所の環境要因の影響を受けることなく、排尿量などの各種生体情報を高精度で測定することのできる生体情報測定便器を提供することにある。
【課題を解決するための手段】
【０００９】
本発明の生体情報測定便器は、
使用者の尿を受けるボールと、
前記ボールと下水配管とを連通するとともに前記下水配管を水封するための溜水を貯留するトラップと、
排尿前の前記溜水を予め定められた所定溜水量に設定する溜水量設定手段と、
使用者が排泄した尿の特定物性値を測定する尿物性測定手段と、
前記溜水の前記特定物性値を測定する溜水物性測定手段と、
前記溜水を撹拌する溜水撹拌手段と、を有する生体情報測定便器において、
前記溜水撹拌手段として、前記溜水中へ一定量の水を供給する給水機能を設け、
前記所定溜水量と、所定溜水量時における前記尿物性測定手段の測定値と、排尿開始から排尿終了までの前記溜水物性測定手段の測定値と、に基づいて、
少なくとも排尿量を含む生体情報を測定することを特徴とする。
【００１０】
このような構成において、溜水量設定手段が設定した所定溜水量の溜水が貯留されたボールへ使用者が排尿すれば、尿物性測定手段が尿の特定物性値を測定し、溜水物性測定手段が排尿開始から排尿終了までの前記溜水の前記特定物性値を測定した後、前記所定溜水量、尿物性測定手段の測定値および溜水物性測定手段の測定値に基づいて、少なくとも尿量を含む生体情報を測定することができる。この場合、前記所定溜水量、尿物性測定手段の測定値および溜水物性測定手段の測定値は、洋式便器が接続された下水配管内で発生する圧力変動の影響を受けない変化挙動媒体であるため、洋式便器の施工場所の環境要因の影響を受けることなく、排尿量などの各種生体情報を高精度で測定することができる。
【００１５】
さらに、前記溜水物性測定手段は、経時的な変動値に基づいて定常値を推定する溜水物性推定手段を有することとすれば、測定初期の測定値の変動状態で測定値の安定した定常値を推定することにより、短時間内で目的とする物性値の測定値が得られるため、測定値を開示するまでに使用者を待たせることが無くなる。
【００１６】
次に、本発明においては、前記溜水を撹拌する溜水撹拌手段を設けたことにより、撹拌手段で溜水が撹拌されることによって溜水と尿とが均一に混じり合い、溜水の物性値を早期安定化することが可能となるため、溜水物性測定手段が溜水の特定物性値を測定する際の測定時間の短縮化、測定精度の向上を図ることができる。
【００１７】
また、本発明の場合、前記撹拌手段として、前記溜水中へ一定量の水を供給する給水機能を設けたことにより、洋式便器に具備されている給水機構を利用して撹拌手段を構成することが可能となるため、便器構造の複雑化を回避することができる。
【００１８】
次に、前記尿物性測定手段を、前記ボール内を回動移送する採尿アームに設ければ、ボール内全域を移動可能な採尿アームを利用することにより、排尿方向に関する個人差を吸収して尿物性測定手段を構成することができる。
【発明の効果】
【００２０】
本発明により、施工場所の環境要因の影響を受けることなく、尿量などの各種生体情報を高精度で測定可能な生体情報測定便器を提供することができる。
【発明を実施するための最良の形態】
【００２１】
以下、図面に基づいて本発明の実施の形態について説明する。図１は本発明の実施の形態である生体情報測定便器を示す斜視図、図２は図１に示す生体情報測定便器のシステムブロック図、図３は図１に示す生体情報測定便器の垂直断面図である。また、図４は溜水の導電率変動に関する実測値事例を示すグラフ、図５は攪拌に使用できるリム洗浄ノズルからの吐水量算出方法を示すグラフ、図６は吐水による攪拌を行った場合の導電率変化事例を示すグラフである。
【００２２】
図１，図２に示すように、本実施形態の生体情報測定便器１０は、使用者の排泄物を受けて下水に排出する洋式便器１１と、排尿情報測定手段１２および制御手段１３などが内蔵されたキャビネット１４と、洋式便器１１の側方壁面に配置された操作・表示部２０と、を備えている。洋式便器１１は、使用者が着座するための便座１５と、ボール１６および便座１５を開閉可能に覆う便蓋１７と、採尿器１８ａおよび採尿アーム１８ｂを有する尿物性測定手段１８と、衛生洗浄装置２３と、を備えている。操作・表示部２０は、洋式便器１１に設けられた衛生洗浄装置２３を操作するためのリモコン１９と、排尿情報測定手段１２を機能させるためのリモコン２１と、排尿情報測定データを印刷するためのプリンタ２２とを備えている。排尿情報測定手段１２には溜水物性推定手段４１が設けられ、制御手段１３には、検量線記憶手段３８、排尿情報演算手段３９、および、情報記憶手段４０が設けられている。
【００２３】
図２，図３に示すように、洋式便器１１は、使用者の尿を受けるボール１６と、ボール１６内を洗浄するボール洗浄手段を構成するリム吐水ノズル２４ａ、および、ボール１６内の排泄物を含む溜水を下水配管３５に向けて排出するためのサイホン現象発生手段としてのゼット吐水ノズル２４ｂと、ボール１６と下水配管３５とを連通する排水ソケット９と、下水配管３５を水封する溜水Ｗ１を貯留するため排出管路の途中に設けられたトラップ２５と、を備えている。また、排尿前の溜水Ｗ１を予め定められた所定水量に設定する溜水量設定手段８と、使用者が排泄した尿の特定物性値を測定する尿物性測定手段１８と、溜水Ｗ１の前記特定物性値を測定する溜水物性測定手段７と、を有している。溜水物性測定手段７は、経時的な変動値に基づいて定常値を推定する溜水物性推定手段４１に接続されている。
【００２４】
止水栓３の下流に配置された水路切替手段４において、リム吐水ノズル２４ａへの給水経路とゼット吐水ノズル２４ｂへの給水経路とに分岐され、水路切替手段４とリム吐水ノズル２４ａとの間にボール給水弁８ａが配置されている。また、水路切替手段４とボール給水弁８ａとの間から分岐した排水経路２６に下水排水弁８ｂおよびトラップ５が配置され、排水経路２６の下流側端部が排水ソケット９内に連通されている。さらに、溜水Ｗ１と下水配管３５との間の空間２の圧力を測定するための下水圧変動測定手段６が設けられている。溜水量設定手段８は、ボール１６への給水、止水を行うボール給水弁８ａと、排水経路２６を開閉する下水排水弁８ｂとを備えている。また、溜水Ｗ１に水を供給して当該溜水Ｗ１を撹拌する溜水撹拌手段４８として、ボール給水弁８ａおよび下水排水弁８ｂを利用している。
【００２５】
本実施形態の生体情報測定便器１０は、図３に示すように、溜水量設定手段８が設定した所定溜水量の溜水Ｗ１が貯留されたボール１６へ使用者が排尿すれば、尿物性測定手段１８が尿の特定物性値を測定し、溜水物性測定手段７が排尿開始から排尿終了までの溜水Ｗ１の前記特定物性値を測定した後、前記所定溜水量、尿物性測定手段１８の測定値および溜水物性測定手段７の測定値に基づいて少なくとも尿量を含む生体情報を測定することができる。この場合、前記所定溜水量、尿物性測定手段１８の測定値および溜水物性測定手段７の測定値は、洋式便器１１が接続された下水配管３５内で発生する圧力変動の影響を受けない変化挙動媒体であるため、洋式便器１１の施工場所の環境要因の影響を受けることなく、排尿量などの各種生体情報を高精度で測定することができる。
【００２６】
ここで、図３を参照しながら、生体情報測定便器１０による尿量測定手順について説明する。図３に示すように、洋式便器１１が待機状態にあるとき、ボール１６内の溜水Ｗ１は溜水量設定手段８によって予め定められた所定溜水量に設定されているため、その溜水水位Ｗ１Ｌはトラップ２５の溢流水位Ｈよりも低くなっている。図３に示す状態において、使用者が洋式便器１１に着座し、採尿アーム１８ｂが回動して採尿器１８ａが排尿経路にセットされた後、ボール１６内へ排尿すると、尿の一部が採尿器１８ａに採取されるとともに、残りの尿は溜水Ｗ１へ流入する。このとき、溜水Ｗ１の溜水水位Ｗ１Ｌは溢流水位Ｈよりも低く、かつ、下水圧変動による水位変化も配慮して設定されているため、溜水Ｗ１へ尿が流入してもトラップ２５を超えて下水配管３５に溢流しない。
【００２７】
この後、採尿器１８ａに採取された尿の特定物性値が尿物性測定手段１８により測定され、尿が流入した溜水Ｗ１の前記特定物性値が溜水物性測定手段７により測定される。そして、所定溜水時における尿物性測定手段１８の測定値と、使用者の排尿開始から排尿終了までの溜水物測定手段７の測定値とが排尿情報測定手段１２の制御手段１３へ送信され、これらの測定値と予め定められた溜水Ｗ１の所定溜水量と、に基づいて、排尿情報演算手段３９が少なくとも排尿量を含む排尿情報を算出し、その測定値が操作・表示部２０に表示されるとともに、情報記憶手段４０に記憶される。このとき、リモコン２１に所定の出力操作を行うと、プリンタ２２から測定値が印字された紙片が出力される。
【００２８】
なお、使用者が排泄した尿の特定物性値を測定する手段として、図３に示すように、採尿器１８ａおよび採尿アーム１８ｂを有する尿物性測定手段１８ではなく、洋式便器１１のボール１６を形成する隔壁部１１ａに配置した尿物性測定手段２８によって測定し、この測定値に基づいて、少なくとも排尿量を含む排尿情報を算出するようにすることもできる。
【００２９】
ところで、溜水Ｗ１の特定物性値は尿の混入によって変化するが、溜水Ｗ１全体の特定物性値が尿の自然拡散によって均一な特定物性値となるまでにはかなりの時間を必要とする。特定物性値が変化・安定するまで待って物性値測定を行うと、排尿情報を使用者に対して開示するまでに時間がかかる。そこで、短時間で排尿情報を演算するためには、溜水の所定物性値変化挙動の変動傾向に着目し、排尿開始から排尿終了までの変動を関数関係で補完して、安定値を推定演算してもよい。図４は、溜水の導電率変動に関する実測値事例を示すグラフであり、例えば、導電率変化開始時から排尿終了操作実施時までの関数回帰関係から、安定時の導電率を推定することになる。
【００３０】
また、他の実施形態としては、溜水を攪拌することで、所定物性値が変化・安定する時間を短縮することも可能である。攪拌の方法として一般的なパルセータ等を利用したものでは、排泄物（特に大便）も排出されるため、パルセータへの汚れ等の付着による動作信頼性の低下が懸念される。そこで、本出願人はボール内に気泡を吐出し、その破裂エネルギーを利用した攪拌で有益な効果を確認した。
【００３１】
また、溢流しない程度の少量吐水をリム吐水ノズル２４ａからボール１６に対して、攪拌することでも有益な効果を確認した。図５は、攪拌に使用できるリム吐水ノズル２４ａからの吐水量算出方法を示すグラフである。溢流水位Ｈ時の溜水量ＱＨ（例：３５００ｍＬ）、測定開始水位Ｗ１Ｌ時の溜水量ＱＬ（例：２１００ｍＬ）とすると、下水圧変動が無い場合の最大尿量測定範囲ＱＭ'（例：１４００ｍＬ）は（式１）で表される。
ＱＭ'＝ＱＨ−ＱＬ                                          （式１）
【００３２】
下水配管３５内において圧力変動が発生した場合、負圧による吸引、および、正圧除荷による揺り戻しによって最大尿量測定範囲ＱＭは変化することになるが、東陶機器株式会社製の洋風大便器Ｃ９５０Ｂで実測すると、下水圧変動Ｐ（ｍｍＡｑａ）に対して、（式２），（式３）の関係が得られた。
正圧の場合      ＱＭ＝ＱＭ'−４０Ｐ                        （式２）
負圧の場合      ＱＭ＝ＱＭ'＋４０Ｐ                        （式３）
【００３３】
製品仕様として尿量Ｎ（例：８００ｍＬ）まで測定したいとすると、攪拌に使用する吐水量ＱＴは（式４）で表現することができる。
ＱＴ＜ＱＭ’−Ｎ                                            （式４）
【００３４】
上述の事例において、下水圧変動Ｐが１０ｍｍＡｑａであった場合、攪拌に使用できる吐水量ＱＴは２００ｍＬということになる。水路切替手段４は大流量を通水可能としたバルブであるため、開閉弁体の動作バラツキが大きく、少量吐水を供給することは難しい。そこで、急速な管路切替をボール給水弁８ａおよび下水排水弁８ｂで実現し、高精度の少量吐水をボール１６内に供給することによって溜水Ｗ１を攪拌できるようになっている。
【００３５】
図６は吐水による攪拌を行った場合の導電率変化事例を示すグラフであるが、短時間で導電率が安定していることがわかる。なお、一般的に下水圧変動は脈動を伴うため溢流防止を配慮した吐水量で攪拌しても、実例としては溢流が発生することもある。その場合、溢流によって導電率ピーク値は減じるため、最大値を安定値の代替値として使用する。
【００３６】
ここで、本発明で使用する尿の特定物性値として導電率を使用し、代表値としての尿量を演算する考え方を詳説する。排泄される尿の質量をＭ１（ｇ）、導電率をＣ１（ｍＳ／ｃｍ）とする。排尿前の溜水の質量をＭ２（ｇ）、導電率をＣ２（ｍＳ／ｃｍ）とする。攪拌のために投入される水の質量をＭ３（ｇ）とする。排尿後の溜水の質量をＭ（ｇ）、導電率をＣ（ｍＳ／ｃｍ）とする。導電率は尿中に含まれる電解物質濃度の代替値として考えることができるため、排尿前後で電解物質量が一定という関係を利用する。
Ｍ１×Ｃ１＋Ｍ２×Ｃ２＝（Ｍ１＋Ｍ２＋Ｍ３）×Ｃ              （式５）
【００３７】
ここで、Ｍ１に対して展開すると、
Ｍ１＝｛Ｍ２×（Ｃ−Ｃ２）＋Ｍ３×Ｃ｝／（Ｃ１−Ｃ）          （式６）
尿の密度は水と同じく１ｇ／ｍＬと考えることができるため、尿量Ｎは、
Ｎ＝｛ＱＬ×（Ｃ−Ｃ２）＋ＱＴ×Ｃ｝／（Ｃ１−Ｃ）              （式７）
によって演算することができる。なお、Ｃの値は、前述の推定値を使用しても良い。温度や特定成分濃度を利用しても類似の考え方で定式化可能である。また、実験値に合わせて各項に係数を導入するなどして、測定値との整合をとることができるように配慮しても良い。
【００３８】
尿量測定が終わり、所定の便器洗浄操作を行うと、リム吐水ノズル２４ａからの吐水でボール１６の内面を洗浄し、次いで、トラップ２５に向けたゼット吐水ノズル２４ｂからの吐水が行われてサイホン現象が発生し、ボール１６内にある尿混じりの溜水Ｗ１の排出および便器洗浄が行われる。溜水Ｗ１の便器洗浄が終わると、リム吐水ノズル２４ａからボール１６内へ水が供給されるが、その途中で溜水量設定手段８が下水排水弁８ｂを開放するとともにボール給水弁８ａを閉止するため、ボール１６内の溜水Ｗ１は溜水量設定手段８によって予め定められた所定溜水量に設定され、その溜水水位Ｗ１Ｌはトラップ２５の溢流水位Ｈよりも低くセットされ、再び待機状態に復帰する。
【００３９】
水路切替手段４は大流量を通水可能としたバルブであるため、開閉弁体の動作バラツキが大きく、所定溜水量を供給することは難しい。そこで、本実施形態では急速な管路切替をボール給水弁８ａと下水排水弁８ｂとで実現することにより、高精度に所定溜水量をボール１６内に供給できるようにしている。また下水排水弁８ｂと下水配管３５に連通する排水ソケット９の間には、トラップ５を設けることで下水排管内の臭気や衛生害虫がトイレ内に侵入することを防止している。
【００４０】
次に、図７，図８を参照しながら、本実施形態の生体情報測定便器１０の動作について説明する。図７は図１に示す生体情報測定便器１０の動作シーケンスを示す図、図８は図１に示す生体情報測定便器１０の動作を示すフローチャートである。
【００４１】
図７，図８に示すように使用者が生体情報測定便器１０が配置されたトイレ内に入室すると（ステップ６０）、使用者の人体が検知され（ステップ６１）、リモコン２１の表示部は「準備中」が表示される。この後、リモコン２１に対して準備操作を行うと（ステップ６２）、尿物性測定手段１８および溜水物性測定手段７が起動する（ステップ６３）。準備操作としては、使用者の個人認証操作と測定手段の起動トリガー入力操作があり、スイッチ操作、指紋認証、ＩＤカード挿入、およびＩＤタグをかざすなど各種方法が想定される。各物性測定手段の準備動作が完了すると、リモコン２１に準備完了が報知されるので（ステップ６４）、使用者が脱衣して便座１５上に着座すると、図示しない着座検出手段がそれを検知して、リモコン２１の表示は「測定中」となる。その後、使用者がボール１６に向かって排尿する（ステップ６５）。なお、男性の場合は起立姿勢で排尿しても良い。
【００４２】
ボール１６内へ排泄された尿の一部は採尿器１８ａに採取されるとともに、残りの尿は溜水Ｗ１へ流入するが、採尿器１８ａに採取された尿の特定物性値が尿物性測定手段１８により測定され、尿が流入した溜水Ｗ１の前記特定物性値が溜水物性測定手段７により測定される（ステップ６６）。排尿が終了し（ステップ６７）、使用者がリモコン２１に対して排尿終了操作を行うと（ステップ６８）、リモコン２１の表示は再び「準備中」となるとともに、溜水撹拌手段４８が作動して撹拌吐水量演算が実行され（ステップ６９）、下水排水弁８ｂが閉じ（ステップ７０）、ボール給水弁８ａが開いた後（ステップ７１）、水路切替手段４がリム側給水を開始して（ステップ７２）、溜水撹拌が行われる。
【００４３】
リム側給水が所定時間行われると（ステップ７３）、下水排水弁８ｂが開き（ステップ７４）、ボール給水弁が閉じた後（ステップ７５）、水路切替手段４が給水を停止する（ステップ７６）。水路切替手段４から吐出され、ボール１６内へ投入する必要の無い余剰分の水は、下水排水弁８ｂを経て下水配管３５へ排出される。なお、ここでは、攪拌によって溜水の特定物性値の安定を早める方法を用いた事例で説明したが、排尿開始から排尿終了操作までの特定物性値変動状況を利用して、安定値を予測する方法であっても良い。
【００４４】
そして、溜水物性推定手段４１が作動して溜水物性推定が行われ（ステップ７７）、排尿情報演算手段３９が作動して排尿情報演算が行われ（ステップ７８）、操作・表示部２０に排尿情報が表示される（ステップ７９）。この後、下水排水弁８ｂが閉じ（ステップ８０）、ボール給水弁８ａが開き（ステップ８１）、水路切替手段４がリム側給水を開始する（ステップ８２）。リム側給水が所定時間行われると（ステップ８３）、下水排水弁８ｂが開き（ステップ８４）、ボール給水弁８ａが閉じた後（ステップ８５）、水路切替手段４が給水を停止する（ステップ８６）。なお、ステップ８０からステップ８６までの動作は、溜水水位を溢流水位Ｈに復帰させることで、排便に伴うボール１６内面の汚れを防止したり、以降の便器洗浄動作を安定させるためのものであるが、本発明において不可欠なものではない。便器の形状や、便器洗浄シーケンスによっては、不要となるケースも考えられるステップである。
【００４５】
次に、所定の便器洗浄操作を行うと（ステップ８７）、下水排水弁８ｂが閉じ（ステップ８８）、ボール給水弁８ａが開き（ステップ８９）、水路切替手段４がリム側給水によるボール１６内面の洗浄を開始する（ステップ９０）。リム側給水が所定時間行われると（ステップ９１）、水路切替手段４がゼット側給水へ切り替える（ステップ９２）。そして、ゼット側給水がトラップ２５に対して所定時間行われてサイホン現象が発生して溜水と共に排泄物を下水配管に向けて排出する（ステップ９３）。
【００４６】
排出が完了すると、水路切替手段４が再びリム側給水へ切り替える（ステップ９４）。リム側給水が所定時間行われると（ステップ９５）、下水排水弁８ｂが開き（ステップ９６）、ボール給水弁８ａが閉じ（ステップ９７）、水路切替手段４が給水を停止する。これによってトラップ２５内に一定量の溜水Ｗ１が貯留され、通常の待機状態に復帰する。このような一連の動作は自動的に行われ、使用者が便器洗浄操作を行うと人体非検知状態となるため（ステップ９９）、使用者は自由にトイレから離室することができる（ステップ１００）。
【００４７】
以上のように、生体情報測定便器１０は、予め定められたボール１６内の所定溜水量と、尿物性測定手段１８の測定値と、溜水物性測定手段７の測定値とに基づいて、少なくとも排尿量を含む生体情報を測定することができる。そして、これらの測定値は、洋式便器１１が接続された下水配管３５内（図２参照）において発生する圧力変動の影響を受けない変化挙動媒体であるため、洋式便器１１の施工場所の環境要因の影響を受けることなく、排尿量などの各種生体情報を高精度で測定することができる。
【産業上の利用可能性】
【００４８】
本発明の生体情報測定便器は、尿量などの各種生体情報の測定を必要とする病院のトイレや一般家庭のトイレなどにおいて広く利用することができる。
【図面の簡単な説明】
【００４９】
【図１】本発明の実施の形態である生体情報測定便器を示す斜視図である。
【図２】図１に示す生体情報測定便器のシステムブロック図である。
【図３】図１に示す生体情報測定便器の垂直断面図である。
【図４】溜水の導電率変動に関する実測値事例を示すグラフである。
【図５】攪拌に使用できるリム洗浄ノズルからの吐水量算出方法を示すグラフである。
【図６】吐水による攪拌を行った場合の導電率変化事例を示すグラフである。
【図７】図１に示す生体情報測定便器の動作シーケンスを示す図である。
【図８】図１に示す生体情報測定便器の動作を示すフローチャートである。
【符号の説明】
【００５０】
２  空間
３  止水栓
４  水路切替手段
５，２５  トラップ
６  下水圧変動測定手段
７  溜水物性測定手段
８  溜水量設定手段
８ａ  ボール給水弁
８ｂ  下水排水弁
９  排水ソケット
１０  生体情報測定便器
１１  洋式便器
１１ａ  隔壁部
１２  排尿情報測定手段
１３  制御手段
１４  キャビネット
１５  便座
１６  ボール
１７  便蓋
１８，２８  尿物性測定手段
１８ａ  採尿器
１８ｂ  採尿アーム
１９，２１  リモコン
２０  操作・表示部
２２  プリンタ
２３  衛生洗浄装置
２４ａ  リム吐水ノズル
２４ｂ  ゼット吐水ノズル
２６  排水経路
３５  下水配管
３８  検量線記憶手段
３９  排尿情報演算手段
４０  情報記憶手段
４１  溜水物性推定手段
４８  溜水撹拌手段
Ｃ    排尿後の溜水の導電率
Ｃ１  排泄される尿の導電率
Ｃ２  排尿前の溜水の導電率
Ｈ  溢流水位
Ｎ  尿量
Ｍ  排尿後の溜水の質量
Ｍ１  排泄される尿の質量
Ｍ２  排尿前の溜水の質量
Ｍ３  攪拌のために投入される水の質量
Ｐ  下水圧変動
ＱＨ  溢流水位Ｈ時の溜水量
ＱＬ  測定開始水位Ｗ１Ｌ時の溜水量
ＱＭ  最大尿量測定範囲
ＱＭ'  下水圧変動が無い場合の最大尿量測定範囲
ＱＴ  攪拌に使用する吐水量
Ｗ１  溜水
Ｗ１Ｌ  溜水水位
【図１】
0004788442.tif 000002
【図２】
0004788442.tif 000003
【図３】
0004788442.tif 000004
【図４】
0004788442.tif 000005
【図５】
0004788442.tif 000006
【図６】
0004788442.tif 000007
【図７】
0004788442.tif 000008
【図８】
0004788442.tif 000009